(57)【要約】【課題】自動販売機などの周りに余分な動作スペースを確保する必要なく、しかも、作業の邪魔にならず、面倒なく簡単に開閉扉をロック又は解除することを可能にする防犯用ロック装置を提供する。【解決手段】防犯用ロック装置Ｒは、左右２体のガードロック体Ｒ１・Ｒ２に分けて構成する。両ガードロック体は、機本体Ａの左右側板面４０に固着するアームホルダ１１・２１に、それぞれ基端側の短手な第１アーム部１０ａ・２０ａを機本体の奥行方向に向けたＬ形ロックアーム１０・２０を軸回転可能に連結する。両ロックアームの長手な第２アーム部１０ｂ・２０ｂが開閉扉Ｂの正面で水平な回動角度位置にあるとき、互いの第２アーム部を同軸上にアームジョイント２３で着脱自在に連結する。アームジョイント２３には、両ロックアームの連結を鍵の操作で施解錠可能にロックする施錠手段を備えてなる。【選択図】          図１
2005188173.tif 000002
【特許請求の範囲】
【請求項１】
箱状機本体の正面に有する開閉扉を施解錠する扉施錠装置とは別に、前記開閉扉の開閉を規制して二重にロックする防犯用ロック装置において、
前記機本体左右の側板面に固着するアームホルダに、それぞれ基端側に有する第１アーム部を前記機本体の奥行方向に向け配設して軸回転可能に連結する一対のＬ形ロックアームと、
両ロックアームの先端側に有する第２アーム部が前記開閉扉の正面で水平な回動角度位置にあるとき、互いの第２アーム部を同軸上で着脱自在に連結するアームジョイントと、
そのアームジョイントによる両ロックアームの連結を鍵の操作で施解錠可能にロックする施錠手段と、
を備えてなることを特徴とする、防犯用ロック装置。
【発明の詳細な説明】
【技術分野】
【０００１】
本発明は、自動販売機などの防犯用に使用されるもので、自動販売機等の機本体正面に有する開閉扉を施解錠する扉施錠装置とは別に、金属製のロックアームやロックバーを用い、開閉扉の開閉を規制して二重にロックする防犯用ロック装置に関する。
【背景技術】
【０００２】
一般に、自動販売機などでは、たとえば図１３に示すように、箱形機本体１の開閉扉２に扉施錠装置が組み込まれているが、バール等の適宜工具を使って不正に解錠されたり、破壊されたりして盗難に会うことがあるため、主たる扉施錠装置とは別に防犯用ロック装置３を備え、この防犯用ロック装置３と扉施錠装置とで開閉扉２の開閉を二重にロックしている。
【０００３】
そのため、この従来の防犯用ロック装置３は、左右一対の金属製支柱４・５の上端間に１本の金属製ロックバー６を懸架して全体に頑丈なゲート型構造にしている。支柱４・５は、機本体１の両横に立てて左右の側板面１ａに固定する一方、それら支柱４・５の嵌合角穴７にロックバー６の曲げ凸部６ａ・６ａを嵌着してロックバー６を支柱４・５に抜き差し自在に連結すると共に、片側支柱５の上端部にシリンダ錠８を組み込んで鍵の操作で係脱可能に連結している。そして、シリンダ錠８を施錠操作すると、支柱４・５とロックバー６とが係合し、そのロックバー６で開閉扉２の周りを胴巻き状態に囲ってロックしている。
【０００４】
一方、開閉扉２を開けるときは、正面側から、シリンダ錠８を解錠操作し、支柱４・５とロックバー６の係合を外してから、ロックバー６を支柱４・５から手前側に抜いて取り外し、開閉扉２のロック状態を解除する。そして、ロックバー６を、いったん自動販売機の周辺に置いてから、開閉扉２を開けている。
【０００５】
また、従来、同じ胴巻き式の防犯用ロック装置の中には、図示省略するが、１本のロックバーの一端を、販売機本体の片側側板面にヒンジ具を介して回動可能に取り付ける一方、他端を、販売機本体の他側側板面に固着した取付ブラケットに連結すると共に、その取付ブラケットにシリンダ錠を組み込んで鍵の操作で係脱可能に連結した構造にしたものもある。そして、シリンダ錠を施錠操作すると、ロックバーの他端が取付ブラケットと係合し、同様にロックバーで開閉扉の周りを胴巻き状態に囲ってロックしている。
【０００６】
一方、開閉扉を開けるときは、正面側から、シリンダ錠を解錠操作してロックバーの他端を取付ブラケットから外してから、ロックバーを大きく手前側にスイングさせて開閉扉のロック状態を解除している。
【発明の開示】
【発明が解決しようとする課題】
【０００７】
ところが、従来の胴巻き式の防犯用ロック装置の中で、ゲート型のものは、自動販売機の開閉扉２を開閉して作業するときに、通常、道路に接近して複数並置される自販機の周辺で、周りに注意を払いながら、支柱４・５から外したロックバー６を載置するのに適切な場所を探し、その所望場所にて、いちいちロックバー６を置いたり持ち上げたりする余計な作業が必要であり、とても面倒であるという課題があった。
【０００８】
一方、ロックバーがスイング式の従来の防犯用ロック装置では、ロックバーを着脱して自販機周辺に置いたり持ち上げたりする必要はないが、長手なロックバーをスイングさせるとき、邪魔にならないように周囲の物や通行人などに注意を払いながら操作する必要があり、同様に面倒であり、しかも、自販機などの周囲に長手なロックバーのスイングスペースを余計に確保する必要もあるという課題もあった。
【０００９】
そこで、本発明の目的は、自動販売機などの周りに余分に動作スペースを確保する必要なく、しかも、作業の邪魔にならず、面倒なく簡単に開閉扉をロック又は解除することを可能にする防犯用ロック装置を提供することにある。
【課題を解決するための手段】
【００１０】
上記した発明の目的を達成すべく、請求項１に記載の発明は、たとえば以下に示す図示実施の形態のとおり、箱状機本体Ａの正面に有する開閉扉Ｂを施解錠する扉施錠装置Ｃとは別に、前記開閉扉Ｂの開閉を規制して二重にロックする防犯用ロック装置Ｒにおいて、前記機本体Ａ左右の側板面４０に固着するアームホルダ１１・２１に、それぞれ基端側に有する第１アーム部１０ａ・２０ａを前記機本体Ａの奥行方向に向け配設して軸回転可能に連結する一対のＬ形ロックアーム１０・２０と、両ロックアーム１０・２０の先端側に有する第２アーム部１０ｂ・２０ｂが前記開閉扉Ｂの正面で水平な回動角度位置にあるとき、互いの第２アーム部１０ｂ・２０ｂを同軸上で着脱自在に連結するアームジョイント２３と、そのアームジョイント２３による両ロックアーム１０・２０の連結を鍵２５の操作で施解錠可能にロックする施錠手段２２とを備えてなることを特徴とする。
【発明の効果】
【００１１】
本発明によれば、左右のロックアームを第１アーム部を支点として回動し、開閉扉正面の水平な回動角度位置で互いの第２アーム部をアームジョイントで同軸に連結し、その連結を一体的に施錠手段で施錠すると、一体連結の両ロックアームにより開閉扉を胴巻き状態にしてロックする一方で、ロック解除時は、施錠手段で解錠して両ロックアームの連結一体状態を解除するだけで、それぞれ自重により回動して機本体の左右側板面に沿って垂下し、そのまま開閉扉正面を開放して邪魔にならない退避姿勢にすることができる。これにより、開閉扉を強固にロックして自動販売機等の盗難防止効果を向上させることができる一方で、開閉扉を開けるロック解除時には、ロックアームが作業の邪魔にならない姿勢をとるため、自販機等の周辺で、周りに注意を払いながらロックアームの載置場所を探したり、その場所にロックアームを置いたり持ち上げたりする余計な作業も不要になり、面倒なく、とても簡単に開閉扉をロック又は解除することができる。しかも、自動販売機などの周りに余分に動作スペースを確保する必要もないという利点がある。
【発明を実施するための最良の形態】
【００１２】
以下、図面を参照しつつ、本発明の実施の形態について説明する。
【００１３】
図１は本発明による防犯用ロック装置を自動販売機に組み付けてロック状態において示す正面図、図２はその平面図、図３は防犯用ロック装置の斜視図である。図中符号Ａは自動販売機の箱状機本体、Ｂは機本体Ａの開閉扉、Ｃは開閉扉正面に組み込まれた周知のシリンダ錠構造の扉施錠装置である。そして、特に図中符号Ｒで示す装置が、開閉扉Ｂの開閉をロックする防犯用ロック装置である。図示例の防犯用ロック装置Ｒは、左右１組のガードロック体Ｒ１・Ｒ２に分けて構成してなる。
【００１４】
図中右の片側ガードロック体Ｒ１は、いずれも金属製のロックアーム１０とアームホルダ１１とで構成されている。
【００１５】
ロックアーム１０は、自動販売機のコーナー部形状に合わせて、丸棒をＬ字状に曲げ成形し、基端側の短手な第１アーム部１０ａの端縁寄りに、その径方向に貫通するねじ穴１２（図４参照）を設け、そのねじ穴１２に抜け止め用ねじ１４を螺合し、その両端を第１アーム部１０ａの外周面から一部突出させている。また、先端側の長手な第２アーム部１０ｂには、その端縁外周に、複数のカム係合溝１５ａ・１５ｂ・１５ｃを長さ方向に間隔をあけて設けてなる（図５参照）。
【００１６】
アームホルダ１１は、図３および図４に示すように、矩形な固定板１６上に連結ブラケット１７を取り付ける。連結ブラケット１７は、片側に開口１３をあけた板厚の厚い矩形ケース状をなし、中空部１８内の壁面に、ロックアーム１０の周形状に合わせて、リング形凸状の軸受部１７ａを設け、軸受部１７ａと対向する反対の壁面にアーム挿通穴１７ｂを設けている。アーム挿通穴１７ｂの周りには、同軸にねじ係合凹部１７ｃを設けている。斯かるアームホルダ１１は、ロックアーム１０を、その第１アーム部１０ａの端縁をアーム挿通穴１７ｂに通して軸受部１７ａに嵌合し、抜け止め用ねじ１４をねじ係合凹部１７ｃに係止することにより抜け止めして連結ブラケット１７に回転可能に連結する。そして、ロックアーム１０を連結した連結ブラケット１７を、その開口１３側を固定板１６上に被せて固定してなる。固定板１６には、アームホルダ１１を機本体Ａに固定するために、取付プレート１９の他に、固定用ボルトやナットやばね座金等が付設されている。
【００１７】
他方、図中左の他側ガードロック体Ｒ２は、片側ガードロック体Ｒ１と同様にいずれも金属製の、Ｌ形のロックアーム２０およびアームホルダ２１を備えるほか、施錠手段２２と、アームジョイント２３とを備えた構成になっている。
【００１８】
ロックアーム２０は、前記片側ガードロック体Ｒ１のロックアーム１０と同様に、基端側の第１アーム部２０ａに抜け止めねじ１４を有する一方、図５に示すように、先端側の第２アーム部２０ｂの端縁寄り外周に、有底のねじ穴２０ｃを穿設し、そのねじ穴２０ｃにストッパねじ２４を螺合し、その頭部２４ａを第２アーム部２０ｂの外周面から一部突出させた構成にしている。
【００１９】
施錠手段２２は、鍵２５と、図６に示すように、シリンダ錠２６と、カム板２７と、固定用ブロック２８と、蓋板２９を備えた構成になっている。カム板２７は、先端側のカム部２７ａがロックアーム１０のカム係合溝１５ａ〜１５ｂと係合可能な厚さの板材で、カム部２７ａと反対の基端寄りに、鍵２５の回動操作と連動するシリンダ錠２６の作用突起２６ａが係合する取付穴２７ｂを設けてなる。固定用ブロック２８には、シリンダ錠２６の胴部外形状に合わせて嵌付凹部２８ａが設けられている。
【００２０】
アームジョイント２３は、全体に幅広な施錠ケース部２３ａと細長いガイドケース部２３ｂとに一体に成形し、長手方向に両者間を貫通する軸貫通穴３０を設けてなる。加えて、一方の施錠ケース部２３ａには、その端面から軸貫通穴３０と平行に開口するシリンダ挿通穴３１を穿設し、片側側面にシリンダ挿通穴３１と連通するブロック組付凹部３２とカム差込み凹部３３とを横に並べて穿設してなる。他方のガイドケース部２３ｂには、軸貫通穴３０と平行に所定長さに切り欠いた細長いガイド穴３４が設けられている。
【００２１】
このアームジョイント２３は、シリンダ挿通穴３１内にシリンダ錠２６を嵌め込む一方、カム差込み凹部３３にカム板２７を差し込み、その取付穴２７ｂにシリンダ錠２６の作用突起２６ａを係合させて一体に回動可能に嵌着する。そして、組付凹部３２に固定用ブロック２８を嵌め付けてシリンダ錠２６をシリンダ挿通穴３１内で固持し、蓋板２９をカム差込み凹部３３の開口側に被せて、施錠手段２２をアームジョイント２３に対し組み付けた構成になっている（図７・８参照）。
【００２２】
そこで、他側ガードロック体Ｒ２は、斯かるアームジョイント２３の軸貫通穴３０に、ロックアーム２０の第２アーム部２０ｂを挿入し、図５に示すように、ガイド穴３４から第２アーム部２０ｂのねじ穴２０ｃにストッパねじ２４を螺合し、その頭部２４ａをガイド穴３４に係合させた状態で、ロックアーム２０でアームジョイント２３を保持する。そして、ロックアーム２０の第２アーム部２０ｂ上に、アームジョイント２３をガイド穴３４の切欠き長さに渡ってスライド可能に付設してなる。
【００２３】
上述した防犯用ロック装置Ｒを機本体Ａに組み付けるときは、機本体Ａ左右の側板面４０の開閉扉Ｂ寄りにおいて、図９に示すように施錠装置Ｃと対応する高さ位置に、アームホルダ１１・２１の固定板１６を当てがい、機本体Ａの内部側から、前記取付プレート１９を介してアームホルダ１１・２１をボルト締めし、ガードロック体Ｒ１・Ｒ２を取り付ける。そのとき、ガードロック体Ｒ１・Ｒ２は、それぞれロックアーム１０・２０が自重により第１アーム部１０ａ・２０ａを支点として回動し、機本体Ａの左右側板部４０に沿って垂下して開閉扉正面を開放した退避姿勢になる。
【００２４】
さて、図示自動販売機において、図９のごとく開閉扉Ｂを閉じた状態で、その開閉をロックする場合は、扉施錠装置Ｃを不図示の鍵を操作して施錠して後、防犯用ロック装置Ｒを作動して開閉扉Ｂをロックする。その場合、ロックアーム１０・２０をそれぞれ持ち上げ、右のロックアーム１０は、第１アーム部１０ａを支点として、図１０に示すように時計方向に９０度回動し、左のロックアーム２０は、第１アーム部２０ａを支点として、反時計方向に同じく９０度回動し、互いの第２アーム部１０ｂ・２０ｂを水平な回動角度位置で同軸上に突き合わせる。なお、図１１に示すように、右側のロックアーム１０を水平な回動角度位置に回動させたときは、第２アーム部１０ｂが開閉扉Ｂの正面で扉施錠装置Ｃの鍵穴部位を覆ったロック姿勢となる。
【００２５】
次いで、両ロックアーム１０・２０を水平に持ち上げたまま、アームジョイント２３を右側のロックアーム１０側へ向けてスライドさせる。すると、アームジョイント２３は、図７および図８に示すように、ストッパねじ２４の頭部２４ａがガイド穴３４で案内されながら、その穴長さ分ほど移動してロックアーム２０の第２アーム部２０ｂから突出する一方、軸貫通穴３０にロックアーム１０の第２アーム部１０ｂを嵌合させてロックアーム１０・２０を一体に連結する。すると、両ロックアーム１０・２０は、互いに回転を規制された状態で、開閉扉Ｂの周りを胴巻き状態で囲った水平なロック姿勢に保持される。
【００２６】
しかる後、シリンダ錠２６の鍵穴に鍵２５を差し込んで回し、作用突起２６ａを施錠角度位置へ９０度回動して施錠する。すると、カム板２７のカム部２７ａがロックアーム１０に有する最も先端寄りのカム係合溝１５ａに係合し、アームジョイント２３による両ロックアーム１０・２０の連結をロックする。こうして一体に連結したロックアーム１０・２０により、図１に示すように、開閉扉Ｂを胴巻き状態に囲って開閉を規制するロック状態にする。
【００２７】
一方、図示自動販売機において、商品の補給など、必要に応じて開閉扉Ｂを開けるためにロック状態を解除するときは、施錠手段２２におけるシリンダ錠２６の鍵穴に鍵２５を差し込んで回し、作用突起２６ａを反対の解錠角度位置へ９０度回動して解錠する。すると、カム板２７のカム部２７ａがロックアーム１０のカム係合溝１５ａから外れ、アームジョイント２３によるロックアーム１０・２０の連結ロック状態を解除する。しかる後、両ロックアーム１０・２０を支えながら、アームジョイント２３を図中左側へスライドさせると、図１０に示すように、ロックアーム１０の第２アーム部１０ｂが軸貫通穴３０から抜けて、ロックアーム１０・２０の一体連結が解かれて各々回転可能状態になる。それから、ロックアーム１０・２０の支えを外すと、それぞれ自重により回動し、図９に示すように機本体Ａの左右側板面４０に沿って垂下し、開閉扉Ｂの正面を開放した退避姿勢にしてロック状態が解除される。しかる後、扉施錠装置Ｃを解錠してから、図１２に示すように開閉扉Ｂを開け、必要な作業を行う。
【００２８】
ところで、図示例では、アームジョイント２３でロックアーム１０・２０を同軸に連結する場合、図７および図８に示すように、アームジョイント２３を、ガイド穴３４の長さ一杯にスライドしてロックアーム２０の第２アーム部２０ｂから最も長く突出させる一方、施錠手段２２のカム板２７をロックアーム１０の最も先端寄りのカム係合溝１５ａに係合させることにより、開閉扉正面でのアームジョイント２３を含む連結アーム長さを、開閉扉Ｂの幅サイズに合致するように調整する。このとき、防犯用ロック装置Ｒでは、アームジョイント２３のスライド距離を適宜短く調節してアームジョイント２３の突出量を調整することにより、カム板２７を選択的に他のカム係合溝１５ｂ・１５ｃに係合させることもできる。従って、防犯用ロック装置Ｒは、カム板２７とカム係合溝１５ａ・１５ｂ・１５ｃとの係合位置を変えて、開閉扉Ｂの正面における連結アーム長さを多段に伸縮させて調整することにより、自動販売機など幅サイズの異なる各種開閉扉にも組み付けて使用することができる。
【００２９】
また、上述した防犯用ロック装置Ｒは、アームジョイント２３を他側ガードロック体Ｒ２のロックアーム２０に付設したが、反対に片側ガードロック体Ｒ１のロックアーム１０に付設する構成にすることができるのは、勿論である。
【００３０】
さらに、図示防犯用ロック装置Ｒでは、ガードロック体Ｒ１・Ｒ２にそれぞれ同じ長さ形状のＬ形ロックアーム１０・２０を備え、両ロックアーム１０・２０を、開閉扉Ｂの正面中央にてアームジョイント２３で連結した構成にしたが、左右ロックアームの長さを相対的に違え、開閉扉Ｂの正面において、いずれか片側寄りの連結位置で連結する構成にすることも可能である。その場合、両ロックアームの連結位置は、アームジョイントが開閉扉正面において扉施錠装置を覆う位置であることが、不正解錠を防止する上で好ましい。
【図面の簡単な説明】
【００３１】
【図１】本発明の防犯用ロック装置を組み付けた自動販売機をロック状態において示す正面図である。
【図２】その防犯用ロック装置を組み付けた自動販売機の平面図である。
【図３】防犯用ロック装置の斜視図である。
【図４】ガードロック体のアームホルダとロックアームの連結構造を、（Ａ）はロック解除時（Ｂ）はロック時においてそれぞれ示す断面図である。
【図５】アームジョイントのロックアームに対するスライド案内構造をアーム連結状態において示す断面図である。
【図６】アームジョイントと施錠手段の構成を示す分解斜視図である。
【図７】アームジョイントと施錠手段の構成をアーム連結状態において示す断面図である。
【図８】アームジョイントと施錠手段の構成をアーム連結状態において示す側面図である。
【図９】自動販売機をロック解除状態において示す正面図である。
【図１０】自動販売機を、防犯用ロック装置の左右ロックアームを水平な回動角度位置にした状態において示す正面図である。
【図１１】自動販売機を、防犯用ロック装置の右ロックアームのみ水平な回動角度位置にした状態において示す正面図である。
【図１２】自動販売機を、開閉扉をロック解除して開けた状態で示す斜視図である。
【図１３】従来の防犯用ロック装置を組み付けた自動販売機をロック状態において示す斜視図である。
【符号の説明】
【００３２】
Ａ              機本体
Ｂ              開閉扉
Ｄ              扉施錠装置
Ｒ              防犯用ロック装置
Ｒ１            片側ガードロック体
Ｒ２            他側ガードロック体
１０・２０      ロックアーム
１０ａ・２０ａ  第１アーム部
１０ｂ・２０ｂ  第２アーム部
１１・２１      アームホルダ
２２            施錠手段
２３            アームジョイント
【図１】
2005188173.tif 000003
【図２】
2005188173.tif 000004
【図３】
2005188173.tif 000005
【図４】
2005188173.tif 000006
【図５】
2005188173.tif 000007
【図６】
2005188173.tif 000008
【図７】
2005188173.tif 000009
【図８】
2005188173.tif 000010
【図９】
2005188173.tif 000011
【図１０】
2005188173.tif 000012
【図１１】
2005188173.tif 000013
【図１２】
2005188173.tif 000014
【図１３】
2005188173.tif 000015